(57)【要約】【課題】メダルが本体床板に散乱していたとしても、メダルによってメダル補助収納庫を配置することが妨げられない遊技台を提供する。【解決手段】上方が開口した箱状のメダル収納庫と、メダル収納庫を載置する本体床板と、を備えた遊技台であって、メダル収納庫を本体床板上に載置した場合、メダル収納庫の底板の少なくとも一部は本体床板よりも高い位置に設けられており、メダル収納庫を本体床板上に載置した場合、メダル収納庫は、上方から落下するメダルを収納する第一の領域と、高い位置に配置された底板を天板として囲まれた第二の領域と、を形成するものであり、メダル収納庫は、その底板に開口孔を設けたものであり、メダル収納庫は、開口孔を開閉可能とする移動部材を設けたものであり、移動部材が前記開口孔を閉じている場合、移動部材は、前記開口孔内に侵入せずに支持される。【選択図】図６
2014161698.tif 000002
【特許請求の範囲】
【請求項１】
上方が開口した箱状のメダル収納庫と、
前記メダル収納庫を載置する本体床板と、を少なくとも備えた遊技台であって、
前記メダル収納庫を前記本体床板上に載置した場合、前記メダル収納庫の底板の少なくとも一部は前記本体床板よりも高い位置に設けられており、
前記メダル収納庫は、上方から落下するメダルを収納する第一の領域と、前記高い位置に設けられた底板を天板として囲まれた第二の領域と、を形成するものであり、
前記メダル収納庫は、その底板に開口孔を設けたものであり、
前記メダル収納庫は、前記開口孔を開閉可能とする開閉板を設けたものであり、
前記開閉板が前記開口孔を閉じている場合、前記開閉板は、前記開口孔内に侵入せずに支持されるものである、
ことを特徴とする遊技台。
【請求項２】
請求項１記載の遊技台であって、
前記メダル収納庫は、前記メダル収納庫の一側面の下部に、前記第二の領域の開口部を形成するものである、
ことを特徴とする遊技台。
【請求項３】
請求項１または２記載の遊技台であって、
前記メダル収納庫は、さらに前記第二の領域の底板を備える、
ことを特徴とする遊技台。
【請求項４】
請求項１乃至３のいずれか１項に記載の遊技台であって、
前記メダル収納庫の底板の厚さは、メダルの厚さ以上である、
ことを特徴とする遊技台。
【発明の詳細な説明】
【技術分野】
【０００１】
本発明は、スロットマシン（パチスロ）、パチンコに代表される遊技台に関する。
【背景技術】
【０００２】
従来、遊技台の一つとして、例えば、スロットマシンが知られている。このスロットマシンは、メダルを投入してスタートレバーを操作することでリールを回転させるとともに、内部抽選によって役を内部決定し、ストップボタンを操作することでリールを停止させた時に、図柄表示窓上に内部決定に応じて予め定められた図柄の組合せが表示されると役が成立するように構成されている。そして、メダルの払出を伴う役が成立した場合には、成立した役に対応する規定数のメダルが払い出されるようになっている。
【０００３】
このスロットマシンは、一般に、メダル払出口から規定数のメダルを払い出すメダル払出装置（ホッパ）と、このメダル払出装置に隣接して設けられ、メダル払出装置のタンクから溢れたメダルを収容するメダル補助収納庫と、を備えている（例えば、特許文献１参照）。
【先行技術文献】
【特許文献】
【０００４】
【特許文献１】特開２０１０−６９０２８号公報
【発明の概要】
【発明が解決しようとする課題】
【０００５】
しかしながら、従来のスロットマシンにおいては、メダル補助収納庫のメダルを回収した後、空となったメダル補助収納庫を再び配置しようとした場合、以下の問題があった。例えば、メダル補助収納庫が配置されていた本体床板に、メダルタンクやメダル補助収納庫から落下したメダルが散乱している場合、メダル補助収納庫が本体床板にあるメダルに乗り上げてしまい、傾いた状態で配置されてしまうことがあった。そして、それを嫌い、メダルを除けるようにメダル補助収納庫を本体床板に擦る移動をさせると、本体背面板とメダル補助収納庫との間にメダルが溜まってしまい、メダル補助収納庫を移動させるのに大きな力を必要とする場合が生じていた。このように、従来においては、メダル補助収納庫を本体床板に配置しようとする場合、メダルによってその配置動作が妨げられるという問題があった。
【０００６】
本発明は上記の事情を鑑みてなされたものであり、メダルが本体床板に散乱していたとしても、メダルによってメダル補助収納庫を配置することが妨げられない遊技台を提供することを目的とする。
【課題を解決するための手段】
【０００７】
上記目的を達成するため、本発明に係る遊技台は、一態様として、上方が開口した箱状のメダル収納庫と、前記メダル収納庫を載置する本体床板と、を少なくとも備えた遊技台であって、前記メダル収納庫を前記本体床板上に載置した場合、前記メダル収納庫の底板の少なくとも一部は前記本体床板よりも高い位置に設けられており、前記メダル収納庫は、上方から落下するメダルを収納する第一の領域と、前記高い位置に設けられた底板を天板として囲まれた第二の領域と、を形成するものであり、前記メダル収納庫は、その底板に開口孔を設けたものであり、前記メダル収納庫は、前記開口孔を開閉可能とする開閉板を設けたものであり、前記開閉板が前記開口孔を閉じている場合、前記開閉板は、前記開口孔内に侵入せずに支持されるものである、ことを特徴とする。
【発明の効果】
【０００８】
本発明によれば、メダルが本体床板に散乱していたとしても、メダルによってメダル補助収納庫を配置することが妨げられない遊技台を提供することができる。
【図面の簡単な説明】
【０００９】
【図１】本発明の第１実施形態に係るスロットマシンの外観を示す斜視図である。
【図２】本発明の第１実施形態に係るスロットマシンの前面扉を開けた状態における正面図である。
【図３】本発明の第１実施形態に係るスロットマシンのメダル補助収納庫の外観を示す図であり、（ａ）は底面図であり、（ｂ）は正面図であり、（ｃ）は平面図であり、（ｄ）は左側面図、（ｅ）は背面図である。
【図４】図３（ｅ）のＡ−Ａ断面図であり、（ａ）はメダル補助収納庫のメダル排出孔を閉じた状態を示す図であり、（ｂ）はメダル排出孔を塞ぐ扉の開閉の様子を示す図であり、（ｃ）はメダル排出孔を開放した状態を示す図である。
【図５】本発明の第１実施形態に係るスロットマシンのメダル補助収納庫の外観斜視図であり、（ａ）は正面斜視図であり、（ｂ）は背面斜視図である。
【図６】（ａ）は本発明の第１実施形態に係るスロットマシンのメダル補助収納庫を下方から見た場合の外観斜視図であり、（ｂ）は（ａ）のメダル補助収納庫の扉の外観斜視図である。
【図７】本発明の第１実施形態に係るスロットマシンのメダル補助収納庫の背面図であり、開口部の大きさを説明する図である。
【図８】（ａ）は図３（ｅ）のＡ−Ａ断面図であって、収集スペースの大きさを説明する図であり、（ｂ）は（ａ）に示した扉における収集スペースの大きさを説明する図である。
【図９】本発明の第１実施形態に係るスロットマシンのメダル補助収納庫が前後移動する場合の動作を説明する底面図であり、（ａ）はメダル補助収納庫が前方に位置する状態を示す図であり、（ｂ）はメダル補助収納庫が後方に位置する状態を示す図である。
【図１０】従来のスロットマシンのメダル補助収納庫が前後移動する場合の動作を説明する底面図であり、（ａ）はメダル補助収納庫が前方に位置する状態を示す図であり、（ｂ）はメダル補助収納庫が後方に位置する状態を示す図である。
【図１１】本発明の第１実施形態に係るスロットマシンを右側面方向から見た時の断面図であり、島設備がメダル自動補給回収機能を備えた場合のメダル補助収納庫の使用例を示す図である。
【図１２】本発明の第２実施形態に係るスロットマシンのメダル補助収納庫の構成を示す図であり、（ａ）は下方から見た背面斜視図、（ｂ）は背面図であり、（ｃ）は（ｂ）のＡ−Ａ断面図である。
【図１３】本発明の第３実施形態に係るスロットマシンのメダル補助収納庫の構成を示す図であり、（ａ）は下方から見た背面斜視図であり、（ｂ）はメダル補助収納庫を左側面方向から見た断面図である。
【図１４】本発明の第４実施形態に係るスロットマシンのメダル補助収納庫の構成を示す図であり、（ａ）は下方から見た背面斜視図であり、（ｂ）はメダル補助収納庫を左側面方向から見た断面図である。
【図１５】本発明の第５実施形態に係るスロットマシンのメダル補助収納庫の構成を示す図であり、（ａ）は下方から見た背面斜視図であり、（ｂ）はメダル補助収納庫を左側面方向から見た断面図である。
【図１６】本発明の第６実施形態に係るスロットマシンのメダル補助収納庫のメダル補助収納庫が前後移動する場合の動作を説明する底面図であり、（ａ）はメダル補助収納庫が前方に位置する状態を示す図であり、（ｂ）はメダル補助収納庫が後方に位置する状態を示す図であり、（ｃ）は（ｂ）の状態から後方に動かした場合であってメダル補助収納庫が後方に位置する状態を示す図である。
【発明を実施するための形態】
【００１０】
＜第１実施形態＞
図１は、本発明の一実施形態（第１実施形態）に係るスロットマシン１００の外観斜視図である。スロットマシン１００は、メダルの投入により遊技が開始され、遊技の結果によりメダルが払い出されるものである。
【００１１】
＜全体構成＞
図１に示すスロットマシン１００は、本体１０１と、本体１０１の正面に取付けられ、本体１０１に対して開閉可能な前面扉１０２と、を備える。本体１０１の中央内部には、（図１において図示省略）外周面に複数種類の図柄が配置されたリールが３個（左リール１１０、中リール１１１、右リール１１２）収納され、スロットマシン１００の内部で回転できるように構成されている。これらのリール１１０〜１１２はステッピングモータ等の駆動手段により回転駆動される。
【００１２】
本実施形態において、各図柄は帯状部材に等間隔で適当数印刷され、この帯状部材が所定の円形筒状の枠材に貼り付けられて各リール１１０〜１１２が構成されている。リール１１０〜１１２上の図柄は、遊技者から見ると、図柄表示窓１１３から縦方向に概ね３つ表示され、合計９つの図柄が見えるようになっている。そして、各リール１１０〜１１２を回転させることにより、遊技者から見える図柄の組み合せが変動することとなる。つまり、各リール１１０〜１１２は複数種類の図柄の組合せを変動可能に表示する表示手段として機能する。なお、このような表示手段としてはリール以外にも液晶表示装置等の電子画像表示装置も採用できる。また、本実施形態では、３個のリールをスロットマシン１００の中央内部に備えているが、リールの数やリールの設置位置はこれに限定されるものではない。
【００１３】
各々のリール１１０〜１１２の背面には、図柄表示窓１１３に表示される個々の図柄を照明するためのリールバックライト（図示省略）が配置されている。リールバックライトは、各々の図柄ごとに遮蔽されて個々の図柄を均等に照射できるようにすることが望ましい。なお、スロットマシン１００内部において各々のリール１１０〜１１２の近傍には、投光部と受光部から成る光学式センサ（図示省略）が設けられており、この光学式センサの投光部と受光部の間をリールに設けられた一定の長さの遮光片が通過するように構成されている。このセンサの検出結果に基づいてリール上の図柄の回転方向の位置を判断し、目的とする図柄が入賞ライン上に表示されるようにリール１１０〜１１２を停止させる。
【００１４】
入賞ライン表示ランプ１２０は、有効となる入賞ラインを示すランプである。有効となる入賞ラインは、遊技媒体としてベットされたメダルの数によって予め定まっている。入賞ラインは５ラインあり、例えば、メダルが１枚ベットされた場合、中段の水平入賞ラインが有効となり、メダルが２枚ベットされた場合、上段水平入賞ラインと下段水平入賞ラインが追加された３本が有効となり、メダルが３枚ベットされた場合、右下り入賞ラインと右上り入賞ラインが追加された５ラインが入賞ラインとして有効になる。なお、入賞ラインの数については５ラインに限定されるものではなく、また、例えば、メダルが１枚ベットされた場合に、中段の水平入賞ライン、上段水平入賞ライン、下段水平入賞ライン、右下り入賞ライン及び右上り入賞ラインの５ラインを入賞ラインとして有効としてもよい。以下、有効となる入賞ラインを有効ラインと呼ぶ場合がある。
【００１５】
告知ランプ１２３は、例えば、後述する内部抽選において特定の入賞役（具体的には、ボーナス）に内部当選していること、または、ボーナス遊技中であることを遊技者に知らせるランプである。遊技メダル投入可能ランプ１２４は、遊技者が遊技メダルを投入可能であることを知らせるためのランプである。再遊技ランプ１２２は、前回の遊技において入賞役の一つである再遊技に入賞した場合に、今回の遊技が再遊技可能であること（メダルの投入が不要であること）を遊技者に知らせるランプである。リールパネルランプ１２８は演出用のランプである。
【００１６】
メダル投入ボタン１３０〜１３２は、スロットマシン１００に電子的に貯留されているメダル（クレジットと言う）を所定の枚数分投入するためのボタンである。本実施形態においては、メダル投入ボタン１３０が押下される毎に１枚ずつ最大３枚まで投入され、メダル投入ボタン１３１が押下されると２枚投入され、メダル投入ボタン１３２が押下されると３枚投入されるようになっている。以下、メダル投入ボタン１３２はＭＡＸメダル投入ボタンとも言う。なお、遊技メダル投入ランプ１２９は、投入されたメダル数に応じた数のランプを点灯させ、規定枚数のメダルの投入があった場合、遊技の開始操作が可能な状態であることを知らせる遊技開始ランプ１２１が点灯する。
【００１７】
メダル投入口１４１は、遊技を開始するに当たって遊技者がメダルを投入するための投入口である。すなわち、メダルの投入は、メダル投入ボタン１３０〜１３２により電子的に投入することもできるし、メダル投入口１４１から実際のメダルを投入（投入操作）することもでき、投入とは両者を含む意味である。貯留枚数表示器１２５は、スロットマシン１００に電子的に貯留されているメダルの枚数を表示するための表示器である。遊技情報表示器１２６は、各種の内部情報（例えば、ボーナス遊技中のメダル払出枚数）を数値で表示するための表示器である。払出枚数表示器１２７は、何らかの入賞役に入賞した結果、遊技者に払出されるメダルの枚数を表示するための表示器である。本実施形態においては、貯留枚数表示器１２５、遊技情報表示器１２６、及び払出枚数表示器１２７は７セグメント（ＳＥＧ）表示器で構成されている。
【００１８】
スタートレバー１３５は、リール１１０〜１１２の回転を開始させるためのレバー型のスイッチである。即ち、メダル投入口１４１に所望するメダル枚数を投入するか、メダル投入ボタン１３０〜１３２を操作して、スタートレバー１３５を操作すると、リール１１０〜１１２が回転を開始することとなる。スタートレバー１３５に対する操作を遊技の開始操作と言う。
【００１９】
ストップボタンユニット１３６には、ストップボタン１３７〜１３９が設けられている。ストップボタン１３７〜１３９は、スタートレバー１３５の操作によって回転を開始したリール１１０〜１１２を個別に停止させるためのボタン型のスイッチであり、各リール１１０〜１１２に対応づけられている。以下、ストップボタン１３７〜１３９に対する操作を停止操作と言い、最初の停止操作を第１停止操作、次の停止操作を第２停止操作、最後の停止操作を第３停止操作という。また、第１停止操作の対象となるリールを第１停止リール、第２停止操作の対象となるリールを第２停止リール、第３停止操作の対象となるリールを第３停止リールという。なお、各ストップボタン１３７〜１３９の内部に発光体を設けてもよく、ストップボタン１３７〜１３９の操作が可能である場合、該発光体を点灯させて遊技者に知らせることもできる。
【００２０】
メダル返却ボタン１３３は、投入されたメダルが詰まった場合に押下してメダルを取り除くためのボタンである。精算ボタン１３４は、スロットマシン１００に電子的に貯留されたメダル、ベットされたメダルを精算し、メダル払出口１５５から排出するためのボタンである。ドアキー孔１４０は、スロットマシン１００の前面扉１０２のロックを解除するためのキーを挿入する孔である。メダル払出口１５５は、メダルを払出すための払出口である。
【００２１】
ストップボタンユニット１３６の下部には、機種名の表示と各種証紙の貼付とを行うタイトルパネル１６２が設けられており、タイトルパネルランプ１６４は、タイトルパネル１６２を点灯するランプである。タイトルパネル１６２の下部には、メダル払出口１５５、メダルの受皿１６１が設けられている。
【００２２】
音孔１８１はスロットマシン１００内部に設けられているスピーカの音を外部に出力するための孔である。前面扉１０２の左右各部に設けられたサイドランプ１４４は遊技を盛り上げるための装飾用のランプである。前面扉１０２の上部には演出装置１６０が配設されており、演出装置１６０の上部には音孔１４３が設けられている。この演出装置１６０は、水平方向に開閉自在な２枚の右シャッタ１６３ａ、左シャッタ１６３ｂからなるシャッタ（遮蔽装置）１６３と、このシャッタ１６３の奥側に配設された液晶表示装置１５７（図示省略、演出画像表示装置）を備えており、右シャッタ１６３ａ、左シャッタ１６３ｂが液晶表示装置１５７の手前で水平方向外側に開くと液晶表示装置１５７（図示省略）の表示画面がスロットマシン１００正面（遊技者側）に出現する構造となっている。
【００２３】
なお、液晶表示装置でなくとも、種々の演出画像や種々の遊技情報を表示可能に構成されていればよく、例えば、複数セグメントディスプレイ（７セグディスプレイ）、ドットマトリクスディスプレイ、有機ＥＬディスプレイ、プラズマディスプレイ、リール（ドラム）、或いは、プロジェクタとスクリーンとからなる表示装置等でもよい。また、表示画面は、方形をなし、その全体を遊技者が視認可能に構成されている。本実施形態の場合、表示画面は長方形であるが、正方形でもよい。また、表示画面の周縁に不図示の装飾物を設けて、表示画面の周縁の一部が該装飾物に隠れる結果、表示画面が異形に見えるようにすることもできる。表示画面は本実施形態の場合、平坦面であるが、曲面をなしていてもよい。
【００２４】
＜内部構成＞
図２は、前面扉１０２を開けた状態のスロットマシン１００を示す正面図である。
【００２５】
本体１０１は、上面板２６１、左側の側面板２６０、右側の側面板２６０、下面板２６４及び背面板２４２で囲われ、前面を開口する箱体である。本体１０１の内部には、背面板２４２の上部に設けた通風口２４９と重ならない位置に、内部に主制御基板（不図示の主制御部３００を実装する基板）を収納した主制御基板収納ケース２１０が配置され、この主制御基板収納ケース２１０の下方に、３つのリール１１０〜１１２が配置されている。主制御基板収納ケース２１０及びリール１１０〜１１２の側方、即ち向って左側の側面板２６０には、内部に第１副制御基板（不図示の第１制御部４００を実装する基板）を収納した副制御基板収納ケース２２０が配設してある。また、向かって右側の側面板２６０には、主制御基板に接続されて、スロットマシン１００の情報を外部装置に出力する外部集中端子板２４８が取り付けられている。
【００２６】
そして、下面板２６４には、メダル払出装置１８０（バケットに溜まったメダルを払出す装置）が配設され、このメダル払出装置１８０の上方、即ちリール１１０〜１１２の下方には、電源基板を有する電源装置２５２が配設され、電源装置２５２正面には電源スイッチ２４４を配設している。電源装置２５２は、スロットマシン１００に外部から供給される交流電源を直流化し、所定の電圧に変換して不図示の主制御部３００、第１副制御部４００等の各制御部、各装置に供給する。さらには、外部からの電源が断たれた後も所定の部品（例えば主制御部３００のＲＡＭ３０８等）に所定の期間（例えば１０日間）電源を供給するための蓄電回路（例えばコンデンサ）を備えている。
【００２７】
メダル払出装置１８０の右側には、メダル払出装置１８０から溢れたメダルを収容するメダル補助収納庫２４０が配設してあり、この背後にはオーバーフローセンサの端子（後述する図１１のオーバーフローセンサ２９０の接触端子２９１参照）が配設されている。電源装置２５２には、電源コード２６５を接続する電源コード接続部が設けられ、ここに接続された電源コード２６５が、筐体１０１の背面板２４２に開設した電源コード用穴２６２を通して外部に延出している。
【００２８】
前面扉１０２は、本体１０１の左側の側面板２６０にヒンジ装置２７６を介して蝶着され、図柄表示窓１１３の上部には、演出装置１６０、及びこの演出装置１６０を制御する第２制御基板（不図示の第２制御部５００を実装する基板）、上部スピーカ２７２を設けている。図柄表示窓１１３の下部には、投入されたメダルを選別するためのメダルセレクタ１７０、このメダルセレクタ１７０が不正なメダル等をメダルの受皿１６１に落下させる際にメダルが通過する通路２６６等を設けている。さらに、音孔１９１に対応する位置には低音スピーカ２７７を設けている。
【００２９】
なお、本実施形態では、図１に示すように方向を定義しており、前面扉１０２を本体１０１に閉じた状態において、本体１０１の背面板２４２から前面扉１０２に向かう方向に移動することを「前方に移動する」とし、前面扉１０２から背面板２４２に向かう方向に移動することを「後方に移動する」としている。
【００３０】
＜メダル補助収納庫の構成＞
次に、図３〜図６を用いて、本実施形態のメダル補助収納庫２４０の構成について説明する。図３は、メダル補助収納庫２４０の外観を示す図であり、（ａ）は底面図であり、（ｂ）は正面図であり、（ｃ）は平面図であり、（ｄ）は左側面図、（ｅ）は背面図である。図４は、図３（ｅ）のＡ−Ａ断面図（以下、長手方向の断面図ともいう）であり、（ａ）はメダル補助収納庫２４０のメダル排出孔７１１を閉じた状態を示す図であり、（ｂ）はメダル排出孔７１１を塞ぐ扉板７１０の開閉の様子を示す図であり、（ｃ）はメダル排出孔７１１を開放した状態を示す図である。図５は、メダル補助収納庫２４０を上方から見た場合の外観斜視図であり、（ａ）は正面斜視図であり、（ｂ）は背面斜視図である。また、図６（ａ）は、メダル補助収納庫２４０を下方から見た場合の背面斜視図であり、図６（ｂ）は、扉板７１０の外観斜視図である。
【００３１】
メダル補助収納庫２４０は、上方が開口する箱体であり、メダル払出装置１８０から落下してきたメダルを収納可能に構成されている。詳しくは、メダル補助収納庫２４０は、底板７０２ａ及び７０２ｂと、底板７０２ａの前方縁から立ち上がる前側板７０３ａと、底板７０２ｂの後方縁から立ち上がる後側板７０３ｂと、底板７０２ａ及び７０２ｂの右側方から立ち上がる右側板７０１ａと、底板７０２ａ及び７０２ｂの左側方から立ち上がる左側板７０１ｂと、を備えているので、扉板７１０がメダル排出孔７１１を閉じている場合、その内部空間である収納スペース７０５に上方から落下してきたメダルを収納できるようになっている。
【００３２】
後側板７０３ｂの下端には、図３（ｅ）、図５（ｂ）及び図６（ａ）に示すように、挿通口７０７が穿設されており、挿通口７０７には、本体１０１の背面板２４２に配設されたオーバーフローセンサ２９０の接触端子２９１が挿通されるようになっている（後述する図１１参照）。オーバーフローセンサ２９０は、メダル補助収納庫２４０の収納スペース７０５に貯留されたメダルが所定量に達したか否かを検知するセンサである。具体的には、メダル補助収納庫２４０内のメダルが増えて、メダルが一対の接触端子２９１に接触すると両接触端子２９１は導通するので、この両接触端子２９１の導通により、スロットマシン１００はメダル補助収納庫２４０における特定量を検知するようになっている。
【００３３】
前側板７０３ａの上端には、長手方向に突出した把持部７００が形成されており、メダル補助収納庫２４０をスロットマシン１００に設置する場合には、把持部７００を前方に向けて下面板２６４の上に載置させる。すなわち、操作者はこの把持部７００を掴んでメダル補助収納庫２４０を前後方向に移動させて、メダル補助収納庫２４０をスロットマシン１００内に設置したり、メダル補助収納庫２４０をスロットマシン１００内から取り出したりする。
【００３４】
メダル補助収納庫２４０は、図３（ａ）及び（ｃ）、図４（ａ）〜（ｃ）、並びに図６（ａ）に示すように、段差７０２ｃがある底板７０２ａ及び７０２ｂを備えており、底板７０２ｂは、底板７０２ａよりも高い位置に設けられている。詳しくは、底板７０２ａは下面板２６４に接する底面であり、底板７０２ｂは下面板２６４から離間している底面である。その結果、メダル補助収納庫２４０を下面板２６４上に載置した場合には、図４（ａ）〜（ｃ）及び図６（ａ）に示すように、下面板２６４と底板７０２ｂとの間に空間７０４が形成される。詳しくは後述するが、この空間７０４は、本体１０１の下面板２６４上に散乱するメダルを収集するための空間ともなるので、以後、この空間７０４を収集スペース７０４と称する。すなわち、メダル補助収納庫２４０を下面板２６４上に載置した場合には、右側板７０１ａ及び左側板７０１ｂは、底板７０２ｂよりも下方に延伸し、下面板２６４に達する一方、後側板７０３ｂは底板７０２ｂよりも下方にまで延伸しておらず、かつ、底板７０２ｂと底板７０２ａとの間は段差７０２ｃを構成しているので、底板７０２ｂ、右側板７０１ａ、左側板７０１ｂ、段差７０２ｃ及び下面板２６４に囲まれた内部空間として収集スペース７０４が形成され、メダル補助収納庫２４０の後端下部に収集スペース７０４へと繋がる開口部７０４ａが形成される。
【００３５】
底板７０２ｂは、開口孔であるメダル排出孔７１１と、メダル排出孔７１１を閉鎖する扉板７１０と、備えている。扉板７１０は、本実施形態の場合、上下方向に回動可能な略矩形の扉であるが、メダル排出孔７１１を開閉可能とする移動部材であれば、特にその構成は限定されるものでない。例えば、回動可能でなくてもよく、複数位置に設けた保持部（ニッパー等の切断工具により切断されることを前提に形成された部分）を切断することにより取り外し移動が可能となるものでもよい。なお、メダル補助収納庫２４０は、軽量で丈夫な樹脂製とすることで、持ち運び性の向上とリサイクル性の向上をはかるが、扉板７１０は、さらに傷つきを防止するために金属製としてもよい。扉板７１０は、図４（ａ）に示すように、底板７０２ｂと略平行な状態にあり、扉板７１０の一端が係止部７１２に係止されている場合には、メダル排出孔７１１を閉鎖する一方、図４（ｃ）に示すように、図４（ａ）の状態から扉板７１０を上方に回動し、扉板７１０の他端が後側板７０３ｂに支持される場合には、メダル排出孔７１１を開口とするように底板７０２ｂに取り付けられている。具体的には、扉板７１０は、その後端部が軸支されており、それにより上下方向に回動自在となっている。また、その前端部がメダル排出孔７１１の前端に形成された係止部７１２に嵌合されることにより、メダル排出孔７１１は閉じられて、底面の一部を形成するようになっている。特に、本実施形態では、図４（ａ）及び（ｂ）に示すように、メダル排出孔７１１が閉鎖されている場合には、扉板７１０はメダル排出孔７１１内の空間に侵入しない状態で支持される構成を採用している。そのため、詳しくは後述するが、収集スペース７０４は、より多くのメダルを収集できるようになっている。
【００３６】
また、扉板７１０は、図６（ｂ）に示すように、その裏面（収納スペース７０５側に露出する面を表面、収集スペース７０４側に露出する面を裏面という）に凹部７１０ａを有し、凹部７１０ａは、凹部７１０ａの外縁にロ字状に形成された周縁部７１０ｂよりも内側に窪んで形成されている。詳しくは後述するが、この構成もまた、本実施形態の収集スペース７０４がより多くのメダルを収集できる一因となっている。
【００３７】
なお、メダル補助収納庫２４０の底板７０２ｂにメダル排出孔７１１を設けたのは、島設備がメダル自動回収機能を備えている場合にメダル補助収納庫２４０を対応させるためである。すなわち、島設備がメダル自動回収機能を備えている場合には、図４（ｃ）に示すように、メダル補助収納庫２４０のメダル排出孔７１１を開口状態として、メダル払出装置１８０からメダル補助収納庫２４０に落下するメダルを、開口された下面板２６４下に配設したメダル自動回収装置に誘導案内するようになっている（詳しくは、図１１で後述）。一方、島設備がメダル自動回収機能を備えていない場合には、図４（ａ）に示すように、メダル補助収納庫２４０のメダル排出孔７１１を閉鎖状態として、メダル払出装置１８０からメダル補助収納庫２４０に落下するメダルを収納するようになっている。
【００３８】
＜メダル補助収納庫の上げ底スペースの大きさ＞
次に、図７及び図８を用いて、収集スペース７０４の大きさについて説明する。図７は、メダル補助収納庫２４０の背面図であり、開口部７０４ａの大きさを説明する図である。図８（ａ）は、図３（ｅ）のＡ−Ａ断面図であって、収集スペース７０４の大きさを説明する図であり、図８（ｂ）は、図８（ａ）に示した扉板７１０における収集スペース７０４の大きさを説明する図である。
【００３９】
ここで、開口部７０４ａの高さをＬ１、幅をＬ２とし、また、メダル７０６の直径をＬ３、厚さをＬ４とした場合、Ｌ４＜Ｌ１かつＬ３＜Ｌ２となるように、開口部７０４ａは形成されている。これにより、本実施形態において、メダル補助収納庫２４０を下面板２６４上に載置して後方に移動させた場合、下面板２６４上に散乱するメダル７０６は、開口部７０４ａから収集スペース７０４へと収まるので、メダル補助収納庫２４０の前後移動の妨げとはならない。
【００４０】
また、複数枚のメダル７０６が積み重なった場合には、上に積み重なったメダル７０６がメダル補助収納庫２４０の前後移動を妨げてしまい、別のメダル７０６の収集スペース７０４への侵入を妨げてしまうおそれがあるため、特に本実施形態では、図８（ａ）に示すように、開口部７０４ａの高さＬ１を、少なくともメダル７０６の厚さＬ４の３倍より大きいものとしている（Ｌ１＞Ｌ４×３）。
【００４１】
同様にして、２枚のメダル７０６が積み重なることなく横並びとなった場合（メダル７０６の直径がＬ３×２の長さとなった場合）、この２枚のメダル７０６が開口部７０４ａを塞いでしまい、別のメダル７０６の収集スペース７０４への侵入を妨げてしまうおそれがあるため、特に本実施形態では、図７に示すように、開口部７０４ａの幅Ｌ２を、少なくともメダル７０６の直径Ｌ３の２倍より大きいものとしている（Ｌ２＞Ｌ３×２）。
【００４２】
この結果、本実施形態では、メダル補助収納庫２４０の前後移動を妨げることなく、多くのメダル７０６を収集スペース７０４に集めることが可能である。すなわち、メダルが本体床板に散乱していたとしても、メダルによってメダル補助収納庫２４０を配置することが妨げられることはない。
【００４３】
また、本実施形態では上述したように、メダル排出孔７１１が閉鎖されている場合、扉板７１０はメダル排出孔７１１内の空間に侵入しない状態で支持されているので、収集スペース７０４は、図８（ａ）に示すように、メダル排出孔７１１の空間も含むものであり、このメダル排出孔７１１の空間に跨ってメダル７０６を収集することが可能となっている。すなわち、メダル排出孔７１１の高さ（扉板７１０の厚さ）をＬ５、長手方向（前後方向）の長さＬ６とすると、本実施形態では、Ｌ５＞Ｌ４、かつＬ６＞Ｌ３となっているので、図８（ａ）に示すように、メダル排出孔７１１の空間にまたがってメダル７０６を収納するだけでなく、メダル排出孔７１１内の空間にメダル７０６を収納することも可能である。
【００４４】
さらに詳しくは、扉板７１０の裏面は、図８（ａ）及び（ｂ）に示すように、凹部７１０ａを有しているため、この凹部７１０ａの窪んだ空間にも跨ってメダル７０６を収納することが可能となっている。なお、扉板７１０の厚さをＬ７、凹部７１０ａの高さをＬ８、凹部７１０ａの長手方向の長さをＬ９とすると、本実施形態では、Ｌ７＞Ｌ８かつＬ９＞Ｌ３である。
【００４５】
なお、メダル補助収納庫２４０は、多くのメダルを収納する役割を果たすために、底板７０２ｂ及び扉板７１０に十分な剛性を備えるようにしている。そのため、底板７０２ｂ及び扉板７１０に分厚い板材を採用することが一般的である。特に、扉板７１０は、メダルの重さによる変形があると、メダル排出孔７１１から外部に向かって移動するおそれがあるので、分厚い板材（例えば、メダルの厚さＬ４よりも厚い板材）を採用すること一般的であるが、図６（ｂ）に示すように、凹部７１０ａの外縁にロ字状に形成された周縁部７１０ｂ（例えば、メダルの厚さＬ４よりも厚い板材）があることにより、扉板７１０の剛性が確保されるようになっている。なお、凹部７１０ａの外縁にロ字状に形成された周縁部７１０ｂ（例えば、メダルの厚さＬ４よりも厚い板材）は、メダル補助収納庫２４０のメダル排出孔７１１の孔領域（上方または下方からみたときのメダル排出孔７１１の面積に相当する領域）より広い領域に凹部７１０ａを形成し、その凹部７１０ａの外縁にロ字状に形成された周縁部７１０ｂを形成するようにしてもよい。換言すれば、メダル補助収納庫２４０を下方からみたときに底板７０２ｂにより周縁部７１０ｂが視認されないように形成してもよい。このような構成を採用することにより、扉板７１０の剛性を確保しつつ、メダル排出孔７１１及び凹部７１０ａにより広い空間を確保することができる。
【００４６】
このように本実施形態のメダル補助収納庫２４０は、メダル排出孔７１１の空間及び扉板７１０の凹部７１０ａの空間を含めて収集スペース７０４とすることができるので、メダル補助収納庫２４０を下面板２６４に載置し、後方に移動させた場合、メダル補助収納庫２４０は、より多くのメダル７０６を集めることができる。
【００４７】
＜メダル補助収納庫の配置動作＞
次に、図９及び図１０を用いて、メダル補助収納庫２４０をスロットマシン１００に配置する場合の動作について説明する。図９は、メダル補助収納庫２４０を前後移動する場合の動作を説明する底面図であり、図９（ａ）は、メダル補助収納庫２４０が前方に位置する状態を示す図であり、図９（ｂ）は、図９（ａ）の状態からメダル補助収納庫２４０を後方に移動させた状態を示す図である。また、図１０は、従来のメダル補助収納庫１２４０を前後移動する際の動作を説明する平面図であり、図１０（ａ）、メダル補助収納庫１２４０が前方に位置する状態を示す図であり、図１０（ｂ）は図１０（ａ）の状態からメダル補助収納庫２４０を後方に移動させた状態を示す図である。
【００４８】
図９（ａ）及び（ｂ）に示すように、本実施形態によれば、メダル補助収納庫２４０を後方に移動させたとき、下面板２６４上に散乱するメダル７０６は、開口部７０４ａから収集スペース７０４へと収まるので、メダル補助収納庫２４０に押されたメダル７０６が背面板２４２に当接してメダル補助収納庫２４０の後方移動の障害となることはない。
【００４９】
一方、従来は、図１０（ａ）及び（ｂ）に示すように、メダル補助収納庫１２４０を後方に移動させたとき、下面板２６４上に散乱するメダル７０６は、メダル補助収納庫１２４０に押されて背面板２４２に当接してメダル補助収納庫２４０の後方移動の障害となる。
【００５０】
したがって、図９（ａ）及び（ｂ）に示す本実施形態のメダル補助収納庫２４０を後方に移動させる場合に必要な押す力をｆ１とし、図１０（ａ）及び（ｂ）に示す従来のメダル補助収納庫１２４０を後方に移動させる場合に必要な押す力をｆ２とすると、ｆ１＜ｆ２となる。
【００５１】
以上、本実施形態のメダル補助収納庫２４０によれば、後端が開口した収集スペース７０４を設けているので、メダル補助収納庫２４０を後方に移動させた場合、大きな力を必要とすることなく、下面板２６４上に散乱するメダル７０６を、開口部７０４ａから収集スペース７０４へと集めることができる。つまり、メダル補助収納庫２４０を配置する動作が下面板２６４上に散乱するメダル７０６によって妨げられることはない。
【００５２】
＜扉を開けた状態のメダル補助収納庫２４０の使用例＞
図１１は、スロットマシン１００を右側面方向から見た時の断面図であり、スロットマシン１００が設置される島に、メダル払出装置１８０にメダルを自動的に補給するメダル自動補給装置８００、及びメダル払出装置１８０から溢れたメダルを自動的に回収するメダル自動回収装置９００が付設された場合のメダル補助収納庫２４０の使用例、及びメダル払出装置１８０から落下したメダルの動作を示す図である。
【００５３】
このように、島設備がメダル自動補給機能を備えている場合には、メダル払出装置１８０には、スロットマシン１００の背面板２４２に穿設された取付孔を介して、メダル自動補給装置８００の供給口８０１が挿入されているとともに、自動補給センサ８０３が配設されている。メダル自動補給装置８００より供給されるメダルは、供給口８０１から下方に落下し、メダル払出装置１８０のメダルタンク１８１内に蓄積される。自動補給センサ８０３は、メダルタンク１８１に蓄積されたメダルが所定量に達したか否かを検知するセンサであり、メダルタンク１８１内のメダルが不足し、メダル自動補給装置８００がメダルを補給する際には、当該自動補給センサ８０３がメダルの所定量を検知するまでメダルを補給し、メダルが所定量に達すると、メダルの補給を停止するようになっている。
【００５４】
また、島設備がメダル自動回収機能を備えている場合には、メダル補助収納庫２４０の扉板７１０は上方に回動された状態、つまりメダル排出孔７１１が開口した状態で設置されているので、メダルタンク１８１からオーバーフローしたメダルは、排出口１８２を介して、メダル補助収納庫２４０に落下し、そのままメダル排出孔７１１に達した後、メダル排出孔７１１からメダル自動回収装置９００の回収口９０１に排出される。すなわち、この場合には、メダル補助収納庫２４０のメダル排出孔７１１の位置は排出口１８２の位置に合わせて配置されているので、メダルはメダル補助収納庫２４０内に収納されない。
【００５５】
このように本実施形態のメダル補助収納庫２４０は、メダル排出孔７１１を閉じた状態においては、収納スペース７０５にメダルを収納可能に構成される一方、メダル排出孔７１１を開放した状態においては、メダルをメダル自動回収装置９００に排出可能に構成されている。
【００５６】
＜第２実施形態＞
図１２は、本発明の第２実施形態に係るメダル補助収納庫２２４０の構成を示す図である。図１２（ａ）は、メダル補助収納庫２２４０を上方から見た場合の背面斜視図であり、図１２（ｂ）は、メダル補助収納庫２２４０ａの背面図であり、図１２（ｃ）は、図１２（ｂ）のＡ−Ａ断面図である。なお、図１２（ａ）〜（ｃ）は、それぞれ、第１実施形態における図５（ｂ）、図３（ｅ）及び図４（ａ）に相当する図である。本実施形態に係るメダル補助収納庫２２４０は、第１実施形態に係るメダル収納庫２４０の底板７０２ａをさらに後端近傍まで延伸させたものである。
【００５７】
なお、本実施形態（第２実施形態）以降においては、第１実施形態と異なる構成及び機能のみ説明し、その他の構成及び機能に関しては同一部位には同一符号を付して説明を省略する。
【００５８】
メダル補助収納庫２２４０は、上方が開口する箱体であり、メダル払出装置１８０から落下してきたメダルを収納可能に構成されている。詳しくは、メダル補助収納庫２２４０は、底板２７０２ａ及び２７０２ｂと、底板２７０２ａの前方縁から立ち上がる前側板７０３ａと、底板２７０２ｂの後方縁から立ち上がる後側板７０３ｂと、底板２７０２ａ及び２７０２ｂの右側方から立ち上がる右側板７０１ａと、底板２７０２ａ及び２７０２ｂの左側方から立ち上がる左側板７０１ｂと、を備えているので、扉板２７１０がメダル排出孔２７１１を閉じている場合、その内部空間である収納スペース７０５にメダルを収納できるようになっている。
【００５９】
メダル補助収納庫２２４０は、図１２（ｃ）に示すように、段差２７０２ｃがある底板２７０２ａ及び２７０２ｂを備えている。底板２７０２ｂは、底板２７０２ａよりも高い位置に設けられており、底板２７０２ａは、底板２７０２ｂの後端近傍にまで延伸している。詳しくは、底板２７０２ａは下面板２６４に接する底面であり、底板２７０２ｂは下面板２６４から離間している底面である。その結果、メダル補助収納庫２２４０を下面板２６４上に載置した場合には、底板２７０２ａと底板２７０２ｂとの間に収集スペース２７０４が形成される。すなわち、メダル補助収納庫２２４０を下面板２６４上に載置した場合には、右側板７０１ａ及び左側板７０１ｂは、底板２７０２ｂよりも下方に延伸し、下面板２６４に達する一方、後側板７０３ｂは底板２７０２ｂよりも下方にまで延伸しておらず、かつ、底板２７０２ｂと底板２７０２ａとの間は段差２７０２ｃを構成するとともに底板２７０２ａが底板２７０２ｂの後端近傍にまで延伸しているので、底板２７０２ａ、２７０２ｂ、右側板７０１ａ、左側板７０１ｂ及び段差２７０２ｃに囲まれた内部空間として収集スペース２７０４が形成され、メダル補助収納庫２２４０の後端下部には、収集スペース２７０４へと繋がる開口部２７０４ａが形成される。
【００６０】
底板２７０２ｂは、開口孔であるメダル排出孔２７１１と、メダル排出孔２７１１を閉鎖する扉板２７１０と、備えている。扉板２７１０は、上下方向に回動可能な略矩形の扉であり、図１２（ｃ）に示すように、底板２７０２ｂと略平行な状態にあり、扉板２７１０の一端が係止部２７１２に係止されている場合には、メダル排出孔２７１１を閉鎖する一方、図１２（ｃ）の状態から扉板２７１０を上方に回動し、扉板２７１０の他端が後側板７０３ｂに支持される場合には（図示せず）、メダル排出孔２７１１を開口とするように底板２７０２ｂに取り付けられている。特に、本実施形態では、図１２（ｃ）に示すように、メダル排出孔２７１１が閉鎖されている場合には、扉板２７１０は、メダル排出孔２７１１内の空間に侵入しない状態で支持される構成を採用している。そのため、収集スペース２７０４は、メダル排出孔２７１１の空間も含むものであり、このメダル排出孔２７１１の空間に跨ってメダル７０６を収集することが可能となっている。
【００６１】
なお、図示しないが、収集スペース２７０４の大きさは、第１実施形態の収集スペース７０４と略同一の大きさであるため（図７及び図８参照）、第１実施形態と同様に、メダル補助収納庫２２４０の前後移動を妨げることなく、多くのメダル７０６を収集スペース２７０４に集めることが可能である。
【００６２】
以上、本実施形態のメダル補助収納庫２２４０によれば、後端が開口した収集スペース２７０４を設けているので、メダル補助収納庫２２４０を配置する動作が下面板２６４上に散乱するメダルによって妨げられることはない。
【００６３】
また、本実施形態のメダル補助収納庫２２４０によれば、メダル排出孔２７１１の空間を含めて収集スペース２７０４とすることができるので、メダル補助収納庫２２４０を下面板２６４に載置し、後方に移動させた場合、メダル補助収納庫２２４０は、より多くのメダルを集めることができる。また、収集スペース２７０４へと収まったメダルは、第１実施形態と異なり、底板２７０４ａ上に存在するので、収集スペース２７０４内のメダルをそのまま回収することができる。
【００６４】
＜第３実施形態＞
図１３は、本発明の第３実施形態に係るメダル補助収納庫３２４０の構成を示す図である。図１３（ａ）は、メダル補助収納庫３２４０を下方から見た場合の背面斜視図であり、図１３（ｂ）及び（ｃ）は、メダル補助収納庫３２４０の長手方向の断面図であり、（ｂ）はメダル排出孔３７１１を塞ぐ扉板３７１０の開閉の様子を示す図であり、（ｃ）はメダル排出孔３７１１を開放した状態を示す図である。なお、図１３（ａ）〜（ｃ）は、それぞれ、第１実施形態における図６（ａ）、図４（ｂ）及び（ｃ）に相当する図である。本実施形態に係るメダル補助収納庫３２４０は、低い位置に設けられた底板にメダル排出孔が形成されており、この点が第１実施形態に係るメダル補助収納庫２４０と異なっている。
【００６５】
メダル補助収納庫３２４０は、上方が開口する箱体であり、メダル払出装置１８０から落下してきたメダルを収納可能に構成されている。詳しくは、メダル補助収納庫３２４０は、底板３７０２ａ及び３７０２ｂと、底板３７０２ａの前方縁から立ち上がる前側板７０３ａと、底板３７０２ｂの後方縁から立ち上がる後側板７０３ｂと、底板３７０２ａ及び３７０２ｂの右側方から立ち上がる右側板７０１ａと、底板３７０２ａ及び３７０２ｂの左側方から立ち上がる左側板７０１ｂと、を備えているので、扉板３７１０がメダル排出孔３７１１を閉じている場合、その内部空間である収納スペース３７０５に上方から落下してきたメダルを収納できるようになっている。
【００６６】
メダル補助収納庫３２４０は、図１３（ａ）〜（ｃ）に示すように、段差３７０２ｃがある底板３７０２ａ及び３７０２ｂを備えており、底板３７０２ｂは、底板３７０２ａよりも高い位置に設けられている。詳しくは、底板３７０２ａは下面板２６４に接する底面であり、底板３７０２ｂは下面板２６４から離間している底面である。その結果、メダル補助収納庫３２４０を下面板２６４上に載置した場合には、下面板２６４と底板３７０２ｂとの間に収集スペース３７０４が形成される。すなわち、メダル補助収納庫３２４０を下面板２６４上に載置した場合には、右側板７０１ａ及び左側板７０１ｂは、底板７０２ｂよりも下方に延伸し、下面板２６４に達する一方、後側板７０３ｂは底板７０２ｂよりも下方にまで延伸しておらず、かつ、底板３７０２ｂと底板３７０２ａとの間は段差３７０２ｃを構成しているので、底板３７０２ｂ、右側板７０１ａ、左側板７０１ｂ、段差３７０２ｃ及び下面板２６４に囲まれた内部空間として収集スペース３７０４が形成され、メダル補助収納庫３２４０の後端下部には、収集スペース３７０４へと繋がる開口部３７０４ａが形成される。
【００６７】
底板３７０２ａは、開口であるメダル排出孔３７１１と、メダル排出孔３７１１を閉鎖する扉板３７１０と、備えている。すなわち、本実施形態では、前方側かつ低い位置にある底板３７０２ａがメダル排出孔３７１１及び扉板３７１０を備えている。扉板３７１０は、上下方向に回動可能な略矩形の扉であり、図１３（ｂ）に示すように、底板３７０２ｂと略平行な状態にあり、扉板３７１０の一端が係止部３７１２に係止されている場合には、メダル排出孔３７１１を閉鎖する一方、図１３（ｃ）に示すように、図１３（ｂ）の状態から扉板３７１０を上方に回動し、扉板３７１０の他端が前側板７０３ａに支持されている場合には、メダル排出孔３７１１を開口とするように底板３７０２ａに取り付けられている。特に、本実施形態では、図１３（ｂ）に示すように、メダル排出孔３７１１が閉鎖されている場合には、扉板３７１０は、メダル排出孔３７１１内の空間に侵入しない状態で支持される構成を採用しているので、メダル排出孔３７１１の領域にもメダルを収集できるようになっている。すなわち、図示しないがメダル排出孔３７１１は、メダル排出孔７１１と略同一の大きさを有している（図８（ａ）参照））。
【００６８】
また、図示しないが、収集スペース３７０４の大きさは、収集スペース７０４と略同一の大きさであるため（図７及び図８参照）、第１実施形態と同様に、メダル補助収納庫３２４０の前後移動を妨げることなく、多くのメダルを収集スペース３７０４に集めることが可能である。
【００６９】
以上、本実施形態のメダル補助収納庫３２４０によれば、後端が開口した収集スペース３７０４を設けているので、メダル補助収納庫３２４０を配置する動作が下面板２６４上に散乱するメダルによって妨げられることはない。
【００７０】
また、本実施形態のメダル補助収納庫３２４０によれば、収集スペース３７０４に加えてメダル排出孔３７１１もメダルを収集する領域とすることができるので、より多くのメダルを集めることができるともに、底板３７０２ａの下にメダルがあっても、メダル補助収納庫３２４０が傾いて配置されることがない。
【００７１】
なお、底板３７０２ｂをメダル排出孔３７１１に向かって傾斜させて（後方から前方に向かって低くなるように傾斜させて）もよく、この場合には、さらにメダル自動回収装置にメダルを誘導案内しやすいものとすることができる。
【００７２】
＜第４実施形態＞
図１４は、本発明の第４実施形態に係るメダル補助収納庫４２４０の構成を示す図である。図１４（ａ）は、メダル補助収納庫４２４０を下方から見た場合の背面斜視図であり、図１４（ｂ）及び（ｃ）は、メダル補助収納庫４２４０の長手方向の断面図であり、（ｂ）はメダル排出孔４７１１を塞ぐ扉板４７１０の開閉の様子を示す図であり、（ｃ）はメダル排出孔４７１１を開放した状態を示す図である。なお、図１４（ａ）〜（ｃ）は、それぞれ、第１実施形態における図６（ａ）、図４（ｂ）及び（ｃ）に相当する図である。本実施形態に係るメダル補助収納庫４２４０は、段差ある底板の両領域に跨ってメダル排出孔が形成されており、この点が第１実施形態に係るメダル補助収納庫２４０と異なっている。
【００７３】
メダル補助収納庫４２４０は、上方が開口する箱体であり、メダル払出装置１８０から落下してきたメダルを収納可能に構成されている。すなわち、メダル補助収納庫４２４０は、底板４７０２ａ及び４７０２ｂと、底板４７０２ａの前方縁から立ち上がる前側板７０３ａと、底板４７０２ｂの後方縁から立ち上がる後側板７０３ｂと、底板４７０２ａ及び４７０２ｂの右側方から立ち上がる右側板７０１ａと、底板４７０２ａ及び４７０２ｂの左側方から立ち上がる左側板７０１ｂと、を備えているので、扉板４７１０がメダル排出孔４７１１を閉じている場合、その内部空間である収納スペース４７０５に上方から落下してきたメダルを収納できるようになっている。
【００７４】
メダル補助収納庫４２４０は、図１４（ａ）〜（ｃ）に示すように、段差４７０２ｃがある底板４７０２ａ及び４７０２ｂを備えており、底板４７０２ｂは、底板４７０２ａよりも高い位置に設けられている。詳しくは、底板４７０２ａは下面板２６４に接する底面であり、底板４７０２ｂは下面板２６４から離間している底面である。その結果、メダル補助収納庫４２４０を下面板２６４上に載置した場合には、下面板２６４と底板４７０２ｂとの間に収集スペース４７０４が形成される。すなわち、メダル補助収納庫４２４０を下面板２６４上に載置した場合には、右側板７０１ａ及び左側板７０１ｂは、底板７０２ｂよりも下方に延伸し、下面板２６４に達する一方、後側板７０３ｂは底板７０２ｂよりも下方にまで延伸しておらず、かつ、底板４７０２ｂと底板４７０２ａとの間は段差４７０２ｃを構成しているので、底板４７０２ｂ、右側板７０１ａ、左側板７０１ｂ、段差４７０２ｃ及び下面板２６４に囲まれた内部空間として収集スペース４７０４が形成され、メダル補助収納庫４２４０の後端下部には、収集スペース４７０４へと繋がる開口部４７０４ａが形成される。
【００７５】
また、底板４７０２ａ及び４７０２ｂ、並びに段差４７０２ｃは、開口であるメダル排出孔４７１１と、メダル排出孔４７１１を閉鎖する扉板４７１０と、を備えている。すなわち、本実施形態では、段差があるメダル排出孔４７１１及び扉板４７１０を備えている。扉板４７１０は、上下方向に回動可能な段差ある扉であり、図１４（ｂ）に示すように、底板４７０２ａ及び４７０２ｂ、並びに段差４７０２ｃと略平行な状態にあり、扉板４７１０の一端が係止部４７１２に係止されている場合には、メダル排出孔４７１１を閉鎖する一方、図１４（ｃ）に示すように、図１４（ｂ）の状態から扉板４７１０を上方に回動し、扉板４７１０の他端が前側板７０３ａに支持されている場合には、メダル排出孔４７１１を開口とするように底板４７０２ａに取り付けられている。具体的には、扉板４７１０は、その前端部が軸支されており、それにより上下方向に回動自在となっている。また、その後端部がメダル排出孔４７１１の後端に形成された係止部４７１２に嵌合されることにより、メダル排出孔４７１１は閉じられて、底面の一部を形成するようになっている。特に、本実施形態では、図１４（ｂ）に示すように、メダル排出孔４７１１が閉鎖されている場合には、扉板４７１０は、メダル排出孔４７１１内の空間に侵入しない状態で支持される構成を採用している。そのため、収集スペース４７０４は、メダル排出孔４７１１の空間も含むものであり、このメダル排出孔４７１１の空間に跨ってメダルを収集することが可能となっている。
【００７６】
なお、図示しないが、収集スペース４７０４の大きさは、第１実施形態の収集スペース７０４と略同一の大きさであるため（図７及び図８参照）、第１実施形態と同様に、メダル補助収納庫４２４０の前後移動を妨げることなく、多くのメダルを収集スペース４７０４に集めることが可能である。
【００７７】
また、図示しないが、メダル排出孔４７１１の高さは、第１実施形態のメダル排出孔７１１の高さと略同一であるため、メダル排出孔４７１１内にメダルを収集することが可能となっており、底板４７０２ａの下にメダルがあっても、メダル補助収納庫３２４０が傾いて配置されることもない。
【００７８】
以上、本実施形態のメダル補助収納庫４２４０によれば、後端が開口した収集スペース４７０４を設けているので、メダル補助収納庫３２４０を配置する動作が下面板２６４上に散乱するメダルによって妨げられることはない。
【００７９】
また、本実施形態のメダル補助収納庫４２４０によれば、収集スペース４７０４に加えてメダル排出孔４７１１もメダルを収集する領域とすることができるので、より多くのメダルを集めることができるともに、底板４７０２ａの下にメダルがあっても、メダル補助収納庫４２４０が傾いて配置されることがない。
【００８０】
＜第５実施形態＞
図１５は、本発明の第５実施形態に係るメダル補助収納庫５２４０の構成を示す図である。図１５（ａ）は、メダル補助収納庫５２４０の下方から見た場合の背面斜視図であり、図１５（ｂ）及び（ｃ）は、メダル補助収納庫５４２４０を左側面の方向から見た断面図であり、（ｂ）はメダル排出孔５７１１を塞ぐ扉板５７１０の開閉の様子を示す図であり、（ｃ）はメダル排出孔５７１１を開放した状態を示す図である。なお、図１５（ａ）〜（ｃ）は、それぞれ、第１実施形態における図６（ａ）、図４（ｂ）及び（ｃ）に相当する図である。本実施形態に係るメダル補助収納庫５２４０は、段差なく本体床板から離間している底板が形成されており、また、後端下部に開口部は設けられておらず、この点が第１実施形態に係るメダル補助収納庫２４０と異なっている。
【００８１】
メダル補助収納庫５２４０は、上方が開口する箱体であり、メダル払出装置１８０から落下してきたメダルを収納可能に構成されている。詳しくは、メダル補助収納庫５２４０は、底板５７０２ｂと、底板５７０２ｂの前方縁から立ち上がる前側板７０３ａと、底板５７０２ｂの後方縁から立ち上がる後側板５７０４ａ及び７０３ｂと、底板５７０２ｂの右側方から立ち上がる右側板７０１ａと、底板５７０２ｂの左側方から立ち上がる左側板７０１ｂと、を備えているので、扉板５７１０がメダル排出孔５７１１を閉じている場合、その内部空間である収納スペース５７０５に上方から落下してきたメダルを収納できるようになっている。
【００８２】
メダル補助収納庫５２４０は、底板５７０２ｂを有しており、底板５７０２ｂは、設置面よりも高い位置に設けられている。詳しくは、底板５７０２ｂは下面板２６４から離間している底面である。その結果、メダル補助収納庫５２４０を下面板２６４上に載置した場合には、下面板２６４と底板５７０２ｂとの間に収集スペース５７０４が形成される。すなわち、メダル補助収納庫５２４０を下面板２６４上に載置した場合には、前側板７０３ａ及び後側板５７０４ａ、並びに右側板７０１ａ及び左側板７０１ｂは、底板５７０２ｂよりも下方に延伸しているので、後側板５７０４ａ、底板５７０２ｂ、前側板７０３ａ、右側板７０１ａ、左側板７０１ｂ、及び下面板２６４に囲まれた内部空間として収集スペース５７０４が形成される。したがって、メダル補助収納庫５２４０を下面板２６４上に載置した場合、収集スペース５７０４は、開口のない閉じた空間となる。
【００８３】
底板５７０２ｂは、開口であるメダル排出孔５７１１と、メダル排出孔５７１１を閉鎖する扉板５７１０と、を備えている。扉板５７１０は、上下方向に回動可能な略矩形の扉であり、図１５（ｂ）に示すように、底板５７０２ｂと略平行な状態にあり、扉板５７１０の一端が係止部５７１２に係止されている場合には、メダル排出孔５７１１を閉鎖する一方、図１５（ｃ）に示すように、図１５（ｂ）の状態から扉板５７１０を上方に回動し、扉板５７１０の他端が後側板７０３ａに支持される場合には、メダル排出孔５７１１を開口とするように底板５７０２ｂに取り付けられている。具体的には、扉板５７１０は、その前端部が軸支されており、それにより上下方向に回動自在となっている。また、その後端部がメダル排出孔５７１１の後端に形成された係止部５７１２に嵌合されることにより、メダル排出孔５７１１は閉じられて、底面の一部を形成するようになっている。本実施形態では、底板５７０２ｂは全体に亘って上げ底となっているので、収集スペース５７０４は、第１〜第４実施形態の収集スペース７０４、２７０４、３７０４及び４７０４よりも大きく形成されており、そのため、より多くのメダルを収集できるようになっている。特に、本実施形態では、図１５（ｂ）に示すように、メダル排出孔５７１１が閉鎖されている場合には、扉板５７１０は、メダル排出孔５７１１内に侵入しない状態で支持される構成を採用している。そのため、収集スペース５７０４は、メダル排出孔５７１１の空間も含むものであり、このメダル排出孔５７１１の空間に跨ってメダルを収集することが可能となっている。
【００８４】
以上、本実施形態のメダル補助収納庫５２４０によれば、全面に亘って上げ底を形成する底板５７０２ｂを備えているので、メダル補助収納庫５２４０を配置する動作が下面板２６４上に散乱するメダルによって妨げられることはない。
【００８５】
また、本実施形態のメダル補助収納庫５２４０によれば、収集スペース５７０４に加えてメダル排出孔５７１１もメダルを収集する領域とすることができるので、より多くのメダルを集めることができる。
【００８６】
＜第６実施形態＞
図１６は、本発明の第６実施形態に係るメダル補助収納庫６２４０が前後移動する場合の動作を示す底面図である。図１６（ａ）は、メダル補助収納庫６２４０が前方に位置する状態を示す図であり、図１６（ｂ）は、図１６（ａ）の状態からメダル補助収納庫６２４０を後方に移動させた状態を示す図であり、図１６（ｃ）は、図１６（ｂ）の状態からメダル補助収納庫６２４０を前方に移動させた状態を示す図である。本実施形態に係るメダル補助収納庫６２４０は、第１実施形態に係るメダル収納庫２４０と略同一の構成であるが、右側板７０１ａの後端に内側に屈曲する屈曲部６７０１ａ、及び左側板７０１ｂの後端に内側に屈曲する屈曲部６７０１ｂが形成されており、この点が第１実施形態に係るメダル補助収納庫２４０と異なっている。
【００８７】
メダル補助収納庫６２４０は、上方が開口する箱体であり、メダル払出装置１８０から落下してきたメダルを収納可能に構成されている。詳しくは、メダル補助収納庫６２４０は、底板６７０２ａ及び６７０２ｂと、底板６７０２ａの前方縁から立ち上がる前側板７０３ａと、底板６７０２ｂの後方縁から立ち上がる後側板７０３ｂと、底板６７０２ａ及び６７０２ｂの右側方から立ち上がる右側板７０１ａと、底板６７０２ａ及び６７０２ｂの左側方から立ち上がる左側板７０１ｂと、を備えているので、扉板６７１０がメダル排出孔６７１１（図示せず）を閉じている場合、その内部空間である収納スペース６７０５（図示せず）にメダルを収納できるようになっている。
【００８８】
メダル補助収納庫６２４０は、図１６に示すように、段差６７０２ｃがある底板６７０２ａ及び６７０２ｂを備えている。底板６７０２ｂは、底板６７０２ａよりも高い位置に設けられている。詳しくは、底板６７０２ａは下面板２６４に接する底面であり、底板６７０２ｂは下面板２６４から離間している底面である。また、右側板７０１ａの後端には、後方に延伸するとともに内側に屈曲している屈曲部６７０１ａが設けられており、左側板７０１ｂの後端には、後方に延伸するとともに内側に屈曲している屈曲部６７０１ｂが設けられている。なお、本実施形態では、右側板７０１ａ及び左側板７０１ｂの両方に屈曲部を設けるようにしたが、右側板７０１ａ及び左側板７０１ｂのいずれか一方に屈曲部を設けるようにしてもよい。
【００８９】
その結果、メダル補助収納庫６２４０を下面板２６４上に載置した場合には、底板６７０２ａと底板６７０２ｂとの間に収集スペース６７０４が形成される。すなわち、メダル補助収納庫６２４０を下面板２６４上に載置した場合には、右側板７０１ａ及び左側板７０１ｂ、並びに屈曲部６７０１ａ及び６７０１ｂは、底板２７０２ｂよりも下方に延伸し、下面板２６４に達する一方、後側板７０３ｂは底板６７０２ｂよりも下方にまで延伸しておらず、かつ、底板６７０２ｂと底板６７０２ａとの間は段差６７０２ｃを構成しているので、底板６７０２ａ、屈曲部６７０１ａ、底板６７０２ｂ、屈曲部６７０１ｂ、右側板７０１ａ、左側板７０１ｂ、段差６７０２ｃに囲まれた内部空間として収集スペース６７０４が形成され、メダル補助収納庫６２４０の後端下部には、収集スペース６７０４へと繋がる開口部６７０４ａが形成される。なお、開口部６７０４ａの大きさは、屈曲部６７０１ａ及び６７０１ｂの存在により、開口部７０４ａに比べて小さくなっている。
【００９０】
底板６７０２ｂは、開口孔であるメダル排出孔６７１１と、メダル排出孔６７１１を閉鎖する扉板６７１０と、備えている。扉板６７１０は、扉板７１０と同様に、上下方向に回動可能な略矩形の扉であり、底板６７０２ｂと略平行な状態にあり、扉板６７１０の一端が係止部に係止されている場合には、メダル排出孔６７１１を閉鎖する一方、メダル排出孔６７１１を閉鎖している状態から扉板６７１０を上方に回動し、扉板６７１０の他端が後側板７０３ｂに支持される場合には、メダル排出孔６７１１を開口とするように底板６７０２ｂに取り付けられている。また、本実施形態においても、メダル排出孔６７１１が閉鎖されている場合には、扉板６７１０は、メダル排出孔６７１１内の空間に侵入しない状態で支持される構成を採用している。そのため、収集スペース６７０４は、メダル排出孔６７１１の空間も含むものであり、このメダル排出孔６７１１の空間に跨ってメダル７０６を収集することが可能となっている。
【００９１】
図１６（ａ）及び（ｂ）に示すように、メダル補助収納庫６２４０を後方に移動させたとき、下面板２６４上に散乱するメダル７０６は、開口部６７０４ａから収集スペース６７０４へと収まるので、メダル補助収納庫６２４０に押されたメダル７０６が背面板２４２に当接してメダル補助収納庫６２４０の後方移動の障害となることはない。
【００９２】
また、図１６（ｃ）に示すように、図１６（ｂ）の状態からメダル補助収納庫６２４０を前方に移動させると、図１６（ｂ）の状態で収集スペース６７０４に収まっていたメダル７０６のうちの一部は、内側に屈曲した屈曲部６７０１ａ及び屈曲部６７０１ｂに捕捉されて収集スペース６７０４内に留まるので、メダル補助収納庫６２４０を引き出したときに回収可能なメダル７０６が増加する場合がある。
【００９３】
以上、本実施形態のメダル補助収納庫６２４０によれば、後端が開口した収集スペース６７０４を設けているので、メダル補助収納庫６２４０を後方に移動させた場合、大きな力を必要とすることなく、下面板２６４上に散乱するメダル７０６を、開口部６７０４ａから収集スペース６７０４へと集めることができる。つまり、メダル補助収納庫６２４０を配置する動作が下面板２６４上に散乱するメダル７０６によって妨げられることはない。また、右側板７０１ａ及び７０１ｂの後端にそれぞれ内側に屈曲する屈曲部６７０１ａ及び６７０１ｂを設けているので、より多くのメダルを集めることができる場合がある。
【００９４】
なお、本実施形態では、開口部を狭めるように屈曲部を形成したが、これとは別に、開口部を広めるように屈曲部を形成してもよい。例えば、右側板７０１ａの後端において外側に屈曲（開口部を広めるように屈曲）する屈曲部を設けるとともに左側板７０１ｂの後端において外側に屈曲（開口部を広めるように屈曲）する屈曲部を設けてもよい。この場合、メダル７０６が収集スペース６７０４に収まり易くなり、後のメダル回収作業が容易になる場合がある。
【００９５】
＜実施形態のまとめ＞
以上述べたように、上記実施形態の遊技台（例えば、スロットマシン１００）によれば、上方が開口した箱状のメダル収納庫（例えば、メダル補助収納庫２４０、２２４０、３２４０、５２４０、６２４０）と、前記メダル収納庫を載置する本体床板（例えば、下面板２６４）と、を少なくとも備えた遊技台であって、前記メダル収納庫を前記本体床板上に載置した場合、前記メダル収納庫の底板（例えば、底板７０２ａ及び７０２ｂ、底板２７０２ａ及び２７０２ｂ、底板３７０２ａ及び３７０２ｂ、底板４７０２ａ及び４７０２ｂ、底板５７０２ｂ、底板６７０２ａ及び６７０２ｂ）の少なくとも一部（例えば、底板７０２ｂ、２７０２ｂ、３７０２ｂ、４７０２ｂ、５７０２ｂ、６７０２ｂ）は前記本体床板よりも高い位置に設けられており、前記メダル収納庫は、上方から落下するメダルを収納する第一の領域（例えば、収納スペース７０５、２７０５、３７０５、４７０５、５７０５、６７０５）と、前記高い位置に設けられた底板を天板として囲まれた第二の領域（例えば、収集スペース７０４、２７０４、３７０４、４７０４、５７０４、６７０４）と、を形成するものであり、前記メダル収納庫は、その底板に開口孔（例えば、メダル排出孔７１１、２７１１、３７１１、４７１１、５７１１、６７１１）を設けたものであり、前記メダル収納庫は、前記開口孔を開閉可能とする開閉板（例えば、扉板７１０、２７１０、３７１０、４７１０、５７１０、６７１０）を設けたものであり、前記開閉板が前記開口孔を閉じている場合、前記開閉板は、前記開口孔内に侵入せずに支持されるものである、ことを基本的構成とする。
【００９６】
上記基本的構成の遊技台においては、第２の領域を設けているので、メダルが本体床板に散乱していたとしても、メダルによってメダル補助収納庫を配置することが妨げられない。また、開口孔の領域を含めてメダルを集めることができるので、より多くのメダルを集めることができる。
【００９７】
また、上記基本的構成の遊技台において、前記メダル収納庫は、前記メダル収納庫の一側面の下部に、前記第二の領域の開口部（例えば、開口部７０４ａ、２７０４ａ、３７０４ａ、４７０４ａ、６７０４ａ）を形成するものであることが好ましい。
【００９８】
この場合には、メダル補助収納庫を後方に移動させた場合、大きな力を必要とすることなく、本体床板上に散乱するメダルを、開口部から第二の領域へと集めることができる。
【００９９】
また、前記メダル収納庫は、さらに前記第二の領域の底板（例えば、底板２７０２ａ）を備えることが好ましい。
【０１００】
この場合には、第二の領域に集められたメダルは第二の領域の底板上にあるので、容易にメダルを回収することができる。
【０１０１】
また、前記メダル収納庫の底板の厚さ（例えば、厚さＬ５）は、メダルの厚さ（厚さＬ４）以上であることが好ましい。
【０１０２】
この場合には、開口孔内にメダルを収容することができるので、より多くのメダルを集めることができる。
【０１０３】
以上、本発明の実施の形態について説明してきたが、本発明は、上述した実施の形態に限られるものではなく、本発明の要旨を逸脱しない範囲において、本発明の実施の形態に対して種々の変形や変更を施すことができ、そのような変形や変更を伴うものもまた、本発明の技術的範囲に含まれるものである。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【図１】
2014161698.tif 000003
【図２】
2014161698.tif 000004
【図３】
2014161698.tif 000005
【図４】
2014161698.tif 000006
【図５】
2014161698.tif 000007
【図６】
2014161698.tif 000008
【図７】
2014161698.tif 000009
【図８】
2014161698.tif 000010
【図１１】
2014161698.tif 000011
【図１２】
2014161698.tif 000012
【図１３】
2014161698.tif 000013
【図１４】
2014161698.tif 000014
【図１５】
2014161698.tif 000015
【図９】
2014161698.tif 000016
【図１０】
2014161698.tif 000017
【図１６】
2014161698.tif 000018